(57)【要約】【課題】照度センサの点検を容易に行うことができるようにした紫外線照射システムを提供する。【解決手段】紫外線照射装置１は、被処理液体を通す流路に設けられ、該流路を通る前記被処理液体に紫外線を照射することにより該被処理液体を処理する紫外線ランプ６と、該紫外線ランプの照度をモニタするための照度センサ７と、を備える。照度センサ点検設備３は、検査用の紫外線ランプ２９と、検査用の基準照度計３１と、検査対象たる照度センサをセットするためのセンサ設置部３０と、前記基準照度計の出力と前記センサ設置部にセットされた前記検査対象たる照度センサの出力とを比較することで、前記検査対象たる照度センサの信頼度を点検する比較装置と、を備える。紫外線照射装置１から照度センサ７を外してセンサ設置部３０にセットすることで、該照度センサ７を照度センサ点検設備３で点検する。【選択図】    図１
2008104981.tif 000002
【特許請求の範囲】
【請求項１】
被処理液体を通す流路に設けられ、該流路を通る前記被処理液体に紫外線を照射することにより該被処理液体を処理する紫外線ランプと、該紫外線ランプの照度をモニタするための照度センサと、を備えた紫外線照射装置と、
検査用の紫外線ランプと、検査用の基準照度計と、検査対象たる照度センサをセットするためのセンサ設置部と、前記基準照度計の出力と前記センサ設置部にセットされた前記検査対象たる照度センサの出力とを比較することで、前記検査対象たる照度センサの信頼度を点検する比較装置と、を備えた照度センサ点検設備と、
を具備し、前記紫外線照射装置から前記照度センサを外して前記センサ設置部にセットすることで、該照度センサを前記照度センサ点検設備で点検できることを特徴とする紫外線照射システム。
【請求項２】
前記紫外線照射装置を収容する設備内に前記照度センサ点検設備を併設したことを特徴とする請求項１に記載の紫外線照射システム。
【請求項３】
前記紫外線照射装置において前記流路を通る前記被処理液体の水質をモニタする水質測定機器を更に具備する請求項１又は２に記載の紫外線照射システム。
【請求項４】
前記水質測定機器は、前記被処理液体の濁度、色度、紫外線透過率、水温、処理流量の一部またはすべてを測定項目として測定するものである請求項３に記載の紫外線照射システム。
【発明の詳細な説明】
【技術分野】
【０００１】
本発明は、被処理液体に紫外線を照射することにより該被処理液体を処理する紫外線照射システムにおいて、必要とする紫外線照射量を確実に確保できるように、紫外線照度をモニタすることに関する。
【背景技術】
【０００２】
水処理において、紫外線照射装置は目的に応じた対象物に対する必要紫外線照射量を確保する必要がある。たとえば、公共事業では、大腸菌群を９９．９％不活化するために消毒前の下水二次処理水に３０ｍJ／ｃｍ2の紫外線照射量を確保することが求められている。また、産業界では、一般細菌を９９．９％不活化するために超純水に３０〜５０ｍJ／ｃｍ2の紫外線照射量を確保することを要求されている。
【０００３】
水処理において、被処理液体に対する紫外線照射量は、紫外線照射装置の光源の経時変化や水質によって変化する。すなわち、紫外線照射装置においては紫外線を発する光源が使用時間とともに低下し、これが被処理液体に対する紫外線照射量に影響を与える。また、水質による影響としては濁度、色度、紫外線透過率、水温、処理流量などが変化すると被処理液体に対する紫外線照射量に影響を与える。さらに、紫外線照射装置内の被処理液体と接している面では硬度分、スケールなどが付着する場合があり、その付着物によって光源からの紫外線が吸収されることがある。その付着面が紫外線ランプを内挿している透明保護管であったり、周囲からの紫外線を受ける流路管であったりすれば、付着物の存在は被処理液体に対する紫外線照射量の低下を招く。また、その付着物が紫外線照度をモニタ検知する照度センサの窓に付着すれば、照度のモニタリング値が実際より低い値を示してしまう。
【０００４】
水処理向け紫外線照射装置において、紫外線照度を連続モニタリングする照度センサを具備したものは既に存在している。この照度センサの出力に基づき、紫外線照度が所定基準よりも低下したことが検知されたならば、紫外線ランプを交換することで、被処理液体に対する紫外線照射量を低下させることなく、適切な紫外線処理を行うことができる。ところで、照度センサは受光部が劣化する恐れがあるため、定期的に点検する必要がある。モニタ用の照度センサそのものが劣化したのでは、紫外線照度の正確なモニタができないからである。一般に、その点検は、同じ紫外線ランプの光を、点検すべき照度センサと基準となる照度計とで同時に受光し、それぞれの検知データを比較照合することで行われる。
【発明の開示】
【発明が解決しようとする課題】
【０００５】
しかし、今までのところ、専用の照度センサ点検設備が開発されておらず、照度センサの点検に際して、各ユーザは、市販の照度計を基準照度計として用意し、適宜の場所で照度センサと基準照度計とに紫外線ランプの光を照射し、それぞれの検知データを比較照合することで点検を行っていた。そのため、照度センサ点検作業を行うことが面倒であったので、照度センサ点検作業を行い易い環境を整えることが望まれていた。
【０００６】
一方、水質のモニタに関しては、既に種々のタイプの水質測定機器が市販されている。しかし、従来は、紫外線照射装置との組み合わせで適切な水質測定機器を提供することがなされておらず、各ユーザが、独自に水質測定機器を用意して、自前で水質管理を行わねばならず、面倒であった。
【０００７】
本発明は、上述の点に鑑みてなされたもので、照度センサの点検を容易に行うことができるようにした紫外線照射システムを提供しようとするものである。更には、水質測定も容易に行うことができるようにした紫外線照射システムを提供しようとするものである。
【課題を解決するための手段】
【０００８】
本発明に係る紫外線照射システムは、被処理液体を通す流路に設けられ、該流路を通る前記被処理液体に紫外線を照射することにより該被処理液体を処理する紫外線ランプと、該紫外線ランプの照度をモニタするための照度センサと、を備えた紫外線照射装置と、検査用の紫外線ランプと、検査用の基準照度計と、検査対象たる照度センサをセットするためのセンサ設置部と、前記基準照度計の出力と前記センサ設置部にセットされた前記検査対象たる照度センサの出力とを比較することで、前記検査対象たる照度センサの信頼度を点検する比較装置と、を備えた照度センサ点検設備と、を具備し、前記紫外線照射装置から前記照度センサを外して前記センサ設置部にセットすることで、該照度センサを前記照度センサ点検設備で点検できることを特徴とする。これにより、専用の照度センサ点検設備を具備した紫外線照射システムを提供することができるので、照度センサの点検を容易に行うことができるようになる。
【０００９】
本発明の紫外線照射システムにおいては、前記紫外線照射装置において前記流路を通る前記被処理液体の水質をモニタする水質測定機器を更に具備するようにしてもよい。これにより、水質測定も容易に行うことができるようになる。
【発明を実施するための最良の形態】
【００１０】
以下、添付図面を参照して、本発明の一実施例につき詳細に説明する。
【００１１】
図１は、本発明の一実施例に係る紫外線照射システムの正面略図である。この実施例に係る紫外線照射システムにあっては、設備全体が１つのフレーム又は筐体内に納められており、該フレーム又は筐体の下部に紫外線照射装置１が収容されており、その上部の右側に電源設備２が収容され、その上部の左側に照度センサ点検設備３が収容されている。
【００１２】
紫外線照射装置１は、被処理液体を通す流路を形成する密閉管４と、該密閉管４の中に挿入された紫外線透過管（石英管）５と、該紫外線透過管（石英管）５の中に収納された紫外線ランプ６とを含んでいる。公知のように、密閉管４の両端のカバー部４ａ，４ｂを外して紫外線透過管５にアクセスし、紫外線ランプ６の交換などを行うことができるようになっている。また、密閉管４には、被処理液体を導入又は排出するためのポート４ｃ，４ｄが設けられている。このポート４ｃ，４ｄに配管（図示せず）が接続され、該配管を介して被処理液体が密閉管４に流される。被処理液体は密閉管４内を流れる過程で、紫外線透過管（石英管）５を透過して照射される紫外線ランプ６からの紫外線に曝され、殺菌又は消毒などの所定の処理が施される。
【００１３】
密閉管４の所定箇所には、内部に配置した紫外線ランプ６の照度をモニタするための照度センサ７が配置される。この照度センサ７は、例えば、密閉管４の側面に設けられた透明面を通してその内部の紫外線ランプ６から照射された紫外線を受光し、その受光量に応じた電気的検知信号を出力する。この照度センサ７は、密閉管４の所定設置箇所からの取り外しが自在であるが、常時は密閉管４の所定箇所に設置されていて、照度を常時モニタする。照度センサ点検設備３を使用して、該照度センサ７の点検を行う時は、密閉管４の所定箇所から照度センサ７が外されて、後述するように、照度センサ点検設備３にセットされる。
【００１４】
また、密閉管４の所定箇所あるいは、ポート４ｃ，４ｄに接続された配管（図示せず）の所定箇所には、各種の水質をモニタするための各種の水質測定機器（図示せず）が配置される。水質測定項目としては濁度、色度、紫外線透過率、水温、処理流量などの各項目があり、それらの項目を測定するのに必要なセンサや測定機器が設けられる。
【００１５】
電源設備２には、紫外線ランプ６に対する電源供給回路が設けられていると共に、上記照度センサ７からの出力信号を受信して所定の紫外線ランプ照度モニタ処理を行う電子・電気機器、上記各種の水質測定機器（図示せず）からの測定信号を受信して所定の水質モニタ処理を行う電子・電気機器、その他の種々の測定機器あるいは制御機器が設けられている。
【００１６】
図２は、電源設備２における表示パネル面の一例を示す。この図を参照して、本システムが有する各種のモニタ機能、測定機能などについて列挙する。表示計８〜１２は、上記水質測定機器が測定した水質測定結果を表示するものであり、濁度計８，色度計９，紫外線透過率計１０，流量計１１，水温計１２などである。これらは、上記の各水質測定項目である濁度、色度、紫外線透過率、水温、処理流量の測定結果を表示するものである。更に、紫外線照射量計１３、電源表示灯14，漏電表示灯１５，盤内温度異常表示灯１６，UV異常表示灯１７，UV点灯表示灯１８，積算時間計１９，クリーニング異常表示灯２０，濁度異常表示灯２１，色度異常表示灯２２，UV運転切替スイッチ２３，紫外線透過率異常表示灯２４，流量異常表示灯２５，水温異常表示灯２６，紫外線照射量異常表示灯２７が設けられている。また、付設照度計２８は、上記照度センサ７からの出力信号に基づき、紫外線照度のモニタ結果を表示する。
【００１７】
なお、この実施例で示した紫外線照射装置１は光源の紫外線ランプ６を２灯使用しているため、UV点灯表示灯１８は、それぞれに対応して合計２個設けられている。漏電表示灯１５、盤内温度異常表示灯１６、UV異常表示灯１７、クリーニング異常表示灯２０は紫外線照射装置１の装置としての異常を示すためのものである。濁度異常表示灯２１、色度異常表示灯２２、紫外線透過率異常表示灯２４、流量異常表示灯２５は水質にのみ依存する異常を示している。これらの水質異常は、上述の水質測定機器の測定データに基づき判定する。水温異常表示灯は処理水が止水し、かつ、光源が点灯していた場合に水温が上昇するために設けてある。紫外線照射量異常表示灯は付設照度計と流量計からの情報にて得られる紫外線照射量が異常となった場合に表示する。その他、積算時間計１９は光源の点灯時間の積算時間を示し、光源を交換する際、リセットが可能である。
【００１８】
図３は、照度センサ点検設備３の構成例を示す。照度センサ点検設備３の内部には、紫外線照射装置１に使用する光源の紫外線ランプ６と同じ波長の紫外線を発光する紫外線ランプ２９が検査用の光源として設けられており、更に、検査用の基準照度計３１と、検査対象たる照度センサ７をセットするためのセンサ設置部３０とが、測定台３２に載せられている。比較装置を含む点検用電子機器３３は、前記基準照度計３１の出力と前記センサ設置部３０にセットされた前記検査対象たる照度センサ７の出力とを該比較装置にて比較することで、前記検査対象たる照度センサ７の信頼度を点検する。ここで、照度センサ７の感度が落ちていると判定されたら、密閉管４にセットする照度センサ７を別のものに交換したり、該照度センサ７の掃除・修理等のメンテナンスを行えばよい。なお、この照度センサ点検設備３を使用して、前記照度センサ７の点検を行う時のみ、該照度センサ７が密閉管４の所定箇所から外されて、該照度センサ点検設備３のセンサ設置部３０にセットされる。このように、照度センサ点検設備３が紫外線照射装置１に付属して予め設置されているので、照度センサ点検作業を行い易い。
【００１９】
なお、照度センサ点検設備３は、図１に示すように紫外線照射装置１と同一フレーム又は筐体内に収容されていなくてもよい。つまり、照度センサ点検設備３が紫外線照射装置１から分離されていても、１体のシステムとして、近くにまとめられていれば、本発明の目的を達成することができる。また、水質測定機器も紫外線照射装置１から分離して設けてもよい。
【図面の簡単な説明】
【００２０】
【図１】本発明の一実施例に係る紫外線照射システムの正面略図。
【図２】電源設備における表示パネル面の一例を示す図。
【図３】照度センサ点検設備の構成例を示す略図。
【符号の説明】
【００２１】
１  紫外線照射装置
２  電源設備
３  照度センサ点検設備
４  密閉管
５  紫外線透過管（石英管）
６  紫外線ランプ
７  照度センサ
３０  センサ設置部
３１  検査用の基準照度計
３２  測定台
３３  比較装置を含む点検用電子機器
【図１】
2008104981.tif 000003
【図２】
2008104981.tif 000004
【図３】
2008104981.tif 000005